【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
構造体から支持可能な訓練装置であって、当該訓練装置が、
各々がグリップを有する対の端部を有する非弾性細長部材と、
非弾性アンカであって、
前記対の端部間の位置に前記細長部材を接触させるよう構成された部分と、
ドアアンカを具える第１のアンカと、
コネクタを具える第２のアンカとを具える非弾性アンカとを具え、
前記第１または第２のアンカが、前記構造体に取り付け可能であることを特徴とする訓練装置。
【請求項２】
請求項１に記載の訓練装置において、前記コネクタが、ループを具えることを特徴とする訓練装置。
【請求項３】
請求項２に記載の訓練装置において、前記ループが、閉じたリングに形成可能であることを特徴とする訓練装置。
【請求項４】
請求項２に記載の訓練装置において、前記コネクタの材料が、実質的に硬質材料を具えることを特徴とする訓練装置。
【請求項５】
請求項１に記載の訓練装置において、前記構造体が、閉じたドアとドア枠とを具え、前記ドアアンカが、前記閉じたドアとドア枠との間を通過可能なストラップと、前記閉じたドアとドア枠との間を通過不能な拡大端と、を具えることを特徴とする訓練装置。
【請求項６】
請求項１に記載の訓練装置において、前記第２のアンカが、前記コネクタを通過可能なストラップを具え、前記第２のアンカが、前記構造体の部分周りに巻きつけられるよう適合することを特徴とする訓練装置。
【請求項７】
請求項１に記載の訓練装置において、前記第２のアンカが、１以上のループを有するストラップを具え、前記コネクタが、前記１以上のループを通過可能であり、前記第２のアンカが、前記構造体の部分周りに巻きつけられるよう適合することを特徴とする訓練装置。
【請求項８】
請求項１に記載の訓練装置において、前記部分と、前記第１のアンカと、前記第２のアンカとが、柔軟材料に連結されることを特徴とする訓練装置。
【請求項９】
請求項８に記載の訓練装置において、前記柔軟材料が、紐を具えることを特徴とする訓練装置。
【請求項１０】
構造体から支持可能な訓練装置であって、当該訓練装置が、
各々がグリップを有する対の端部を有する非弾性細長部材と、
非弾性アンカであって、
前記対の端部間の位置に前記細長部材を接触させるよう構成可能な第１のコネクタと、
柔軟材料であって、
前記第１のコネクタを受けるアンカループと、
ドアアンカを具える第１のアンカと、
第２のコネクタを具える第２のアンカとを有する柔軟材料と、を具える非弾性アンカとを具え、
前記第１または第２のアンカが、前記構造体に取り付け可能であることを特徴とする訓練装置。
【請求項１１】
請求項１０に記載の訓練装置において、前記第１のコネクタが、第１のループを具えることを特徴とする訓練装置。
【請求項１２】
請求項１１に記載の訓練装置において、前記第１のループが、閉じたリングに形成可能であることを特徴とする訓練装置。
【請求項１３】
請求項１１に記載の訓練装置において、前記第１のコネクタの材料が、実質的に硬質材料を含むことを特徴とする訓練装置。
【請求項１４】
請求項１０に記載の訓練装置において、前記第２のコネクタが、第２のループを具えることを特徴とする訓練装置。
【請求項１５】
請求項１４に記載の訓練装置において、前記第２のループが、閉じたリングに形成可能であることを特徴とする訓練装置。
【請求項１６】
請求項１４に記載の訓練装置において、前記第２のコネクタの材料が、実質的に硬質材料を含むことを特徴とする訓練装置。
【請求項１７】
請求項１０に記載の訓練装置において、前記構造体が、閉じたドアとドア枠とを具え、前記ドアアンカが、前記閉じたドアとドア枠との間を通過可能であるストラップと、前記閉じたドアとドア枠との間を通過不能である拡大端と、を具えることを特徴とする訓練装置。
【請求項１８】
請求項１０に記載の訓練装置において、前記第２のアンカが、前記第２のコネクタを通過可能なストラップを具え、前記第２のアンカが、前記構造体の部分周りに巻きつくよう適合することを特徴とする訓練装置。
【請求項１９】
請求項１０に記載の訓練装置において、前記第２のアンカが、１以上のループを有するストラップを具え、前記第２のコネクタが、前記１以上のループの少なくとも１を通過可能であり、前記第２のアンカが、前記構造体の一部の周りに巻きつくよう適合することを特徴とする訓練装置。
【請求項２０】
請求項１０に記載の訓練装置において、前記柔軟材料は、紐を含むことを特徴とする訓練装置。
【請求項２１】
請求項１０に記載の訓練装置において、前記第１および第２のアンカが、柔軟材料と連結されることを特徴とする訓練装置。
【手続補正２】
【補正対象書類名】明細書
【補正対象項目名】００２５
【補正方法】変更
【補正の内容】
【００２５】
細長部材４２０の詳細を図６−９に示す。図６は、細長部材の平面図であり、図７は、グリップ対４２３の片方とバックル対４３５のこれに対応する部材の斜視図であり、図８は、グリップ対４２３の片方の８−８線断面図であり、図９Ａはバックル対の片方と連結ストラップ４２９の詳細を示す斜視図である。図６に示すように、細長部材４２０は長さＳであり、符号４２７ａと４２７ｂで示す２つの非弾性ストラップ部分４２７と、ストラップ４２９、及び長さＳを調整するバックル対４３５を具える。細長部材４２０の各端部から最も近いバックルにある部分は固定長であり、即ち、端部対４２１の一方からバックル対４３５の対応する部材への各２つの部分は固定長を持っている。一実施例では、長さＳは広い範囲の訓練を可能にする長さに調整可能である。従って、例であって限定ではなく、長さＳはほぼ６フィート乃至１２フィートの長さで可変である。別の実施例では、細長部材４２０は、ほぼ１．５インチの幅である。訓練に使用するときに、ストラップ４２９とループ４１５が細長部材４２０を訓練装置４１０に沿ってスライドさせることができる一方で、十分な摩擦を提供して、ユーザが訓練を行っている間に細長部材が訓練装置をすり抜けてしまうことがないように、二つの端部４２１にミスマッチが生じないようにしている。
【手続補正３】
【補正対象書類名】明細書
【補正対象項目名】００３０
【補正方法】変更
【補正の内容】
【００３０】
自由端対４３１の片方が、図９Ａに詳細に示されている。各端部４３１は、折り曲げて、例えばステッチ９０１によって適所に保持し、操作が容易な端部を形成することが好ましい。細長部材４２０は、スリーブ９０３、９０５ａ、及び９０５ｂで示されているいくつかのスリーブを具え、ストラップを２回巻いて端部４３１がその周りを移動しないようにしている。特に、スリーブ９０３及び９０５は、バックル４３５、端部４３１及びストラップ４２９の間に配置されている。したがって、スリーブ９０３と９０５は、バックル４３５から対応する端部４３１へのストラップ４２９部分を拘束して、細長部材４２０が動いているときに、対応する端部がその周りを移動しないようにしている。図９Ａに示すように、スリーブ９０３は、近くの端部４３１に固定されているが、スリーブ９０５はストラップ４２９の長さに沿って摺動できる。図９Ｂは、図９Ａの９Ｂ−９Ｂ線に沿った断面図であり、カムバックルとスリーブ９０５ｂへのアタッチメントの詳細を示す。特に、図９Ｂは、バックル４３５と、バーとスリーブ９０５ｂに取り付けられているストラップ９０９が回転するバー９０７を示す。ストラップ９０９は、訓練装置の長さを調整する間に、ストラップ４２９があまり下まで摺動しないようにスリーブ９０５ｂを維持している。スリーブ９０５ｂは、ストラップ４２９の部分と共に、容易に移動して保持できるように弾性であることが好ましい。
【手続補正４】
【補正対象書類名】明細書
【補正対象項目名】００３７
【補正方法】変更
【補正の内容】
【００３７】
図２３は、ステッチ２３１１で適所に保持されたループ２３０７を有する第１の端部２３０５と、ステッチ２３０９でできたループ内に保持されたリング２３０４を有する第２の端部２３０３を有するフレキシブルストラップ２３０１を具える、訓練装置２３００の第３の実施例を示し、図２４は、細長部材１２０でも良いが、細長部材４２０を木に固定する訓練装置２３００の使用を示す。一実施例では、リング２３０４がカラビナなどのゲートリングである。別の実施例では、リング２３０４がスナップリングである。ストラップ２３０１の長さの大部分が、限定するものではないが、装置の使用者の体重を支持するのに強度が十分である天然または合成材料を紐でできたストラップを含む材料で形成されていることが好ましい。好ましい紐は、限定するものではないが、ナイロン、ポリプロピレンあるいはその他のポリマ繊維でできた紐である。図２４は、訓練装置２３００と、細長部材４２０からなる訓練装置２４００を示す。ストラップ２３０１は、このストラップを受けるリング２３０４を有する木の周りに巻きつけられている。ループ２３０７がストラップ４２９を受けており、木または、ストラップ２３０１を巻きつけるのに十分小さいその他の対象物に対向してユーザが訓練できるようにしている。
【手続補正５】
【補正対象書類名】明細書
【補正対象項目名】００４３
【補正方法】変更
【補正の内容】
【００４３】
細長部材２９２０は、バックル２９３５ａと２９３５ｂとして示す対のバックル２９３５を具える。バックル２９３５ａに関して詳細に示すように、バックル２９３５は、第１のリング２９３１と、中央バー２９３２およびタブ２９３６を有する第２のリング２９３３とを具える。ストラップ４２７が両のリング２９３１と２９３３に取り付けられており、ストラップ４２９がリング２９３１、バー２９３２の周りを通り、リング２９３１を通って戻る。バックル２９３５ａは、バックル拘束ストラップ４２９、４２７を示している。バックル２９３５ｂで示すように、タブ２９３６が引っ張られてリング２９３１と２９３３が分離したら、細長部材２９２０の長さが変わる。
【手続補正６】
【補正対象書類名】明細書
【補正対象項目名】００６４
【補正方法】変更
【補正の内容】
【００６４】
グリップアクセサリ１７００の第１の実施例では、以下に述べるようにグリップ対１２３の一方にフレキシブルループ１７１０が取り外し可能に取り付けられている。フットグリップアクセサリ１７００特定の実施例が、図１８Ａ−Ｄに示されており、図１８Ａは、フットグリップアクセサリの斜視図、図１８Ｂは、フットグリップアクセサリの底面図、図１８Ｃは、一方のグリップの取り付け部分を部分的に示す側面図、及び、図１８Ｄは、一方のグリップアクセサリ取り付け部の部分的平面図である。図１８Ａ及び１８Ｂに示すように、フットグリップアクセサリ１７００は、ループストラップ１８０１と２本の取り付け用ストラップ１８０３との３本のストラップから形成されている。この３本のストラップを取り付けて、後述するように、ループストラップ１８０１がループ１７１０を形成し、２本の取り付け用ストラップ１８０３がグリップ取り付け部分１７２０を形成している。
【手続補正７】
【補正対象書類名】明細書
【補正対象項目名】００６５
【補正方法】変更
【補正の内容】
【００６５】
ループストラップ１８０１は、連結されてループを形成している所定長さの端部を有するストラップからできている。ループストラップ１８０１は、長さ２０インチ、幅１．５インチのポリマ繊維でできた紐であることが好ましい。好ましい実施例では、このループには、三角形状のダブルステッチ部分１８１５が二つあり、一方のステッチ部分がループストラップ１８０１の２つの端部を連結している。二本のグリップ取り付け用ストラップ１８０３は各々、第１の締結面１８０９を有する第１の端部１８０７と、第２の締結綿１８１３を有する第２の端部１８１１を有する所定の長さのストラップから形成されている。取り付け用ストラップ１８０３は、ポリマ繊維紐であることが好ましい。一実施例では、ストラップ１８０３は、長さ７．５インチ、幅１．５インチである。締結面１８０９及び１８１３は、一実施例では、二重ステッチによってループストラップ１８０１に取り付けられており、グリップ取り付け用ストラップ１８０３は、端部１８０７と１８１１の中央でループストラップにダブルステッチ１８０５で連結されていることが好ましい。
【手続補正８】
【補正対象書類名】明細書
【補正対象項目名】００６７
【補正方法】変更
【補正の内容】
【００６７】
フットグリップアクセサリ１７００は取り外し可能に取り付けられており、以下のようにして使用する。フットグリップアクセサリ１７００のグリップ取り付け部分１７２０は、グリップ１２３ａ周囲の各ストラップ１８０３の長さをラッピングして、締結面１８０９と１８１３を各ストラップの接触させることによって、グリップ対１２３の一方に取り外し可能に取り付けられる。ステッチ１８１５によって、ねじることなくループ１７１０を開くことができ、足を固定する固定ストラップを提供する。
【手続補正９】
【補正対象書類名】明細書
【補正対象項目名】００７０
【補正方法】変更
【補正の内容】
【００７０】
図２０Ａ−２０Ｃには、フィンガグリップアクセサリ１９００の特定の実施例が示されており、図２０Ａは、フィンガグリップアクセサリの斜視図、図２０Ｂはフィンガグリップアクセサリの２０Ｂ−２０Ｂ線に沿った平面図、及び図２０Ｃは、フィンガグリップアクセサリの２０Ｃ−２０Ｃ線に沿った断面図である。フィンガグリップアクセサリ１９００は、２本のループ１９１０、すなわち、第１のループ１９１０ａと第２のループ１９１０ｂを具え、グリップ取り付け部１９２０は、１９２０ａ、１９２０ｂ、及び１９２０ｃの３部分を具える。より詳細には、フィンガグリップアクセサリ１９００は、５本のストラップ、すなわち、ループストラップ２００１、３本の取り付け用ストラップ１８０３、及びバックストラップ２００３で形成されている。以下に説明するようにして取り付けた５本のストラップによって、ループストラップ２００１は第１のループ１９１０ａと第２のループ１９１０ｂを形成しており、一またはそれ以上の指をそれぞれ受けることができる。また、３つの取り付け用ストラップ１８０３は、グリップ取り付け部１９２０ａ、１９２０ｂ、１９２０ｃの一つを形成している。フィンガグリップ１９００のほとんどの部分が、フットグリップアクセサリ１７００と同じ材料でできていることが好ましい。
【手続補正１０】
【補正対象書類名】明細書
【補正対象項目名】００７８
【補正方法】変更
【補正の内容】
【００７８】
グリップアクセサリ２１００は、取り外し可能に取り付けることができ、以下のようにして使用する。グリップ取り付け部分２１２０は、締結面１８０９と１８１３を各ストラップ１８０３に接触させることによって、グリップ対１２３のうちの一方に取り外し可能に取り付けることができる。このように固定したフィンガグリップアクセサリ２１００を用いて、１本、２本、３本、あるいは４本全部のコード２１１０ａ−ｄを手で握ることができる。たとえば、図２１Ａは、ユーザが握るコード２１１０ａ、２１１０ｂ、および２１１０ｃを示す図であり、図２１Ｂは、ユーザが握るコード２１１０ａと２１１０ｂを示す図であり、図２１Ｃは、ユーザが握るコード２１１０ａを示す図である。このようにして握られるコード２１１０を用いて、ユーザは訓練装置１００に対して力をかけることができる。
【手続補正１１】
【補正対象書類名】明細書
【補正対象項目名】００８１
【補正方法】変更
【補正の内容】
【００８１】
一実施例では、ループ２７１０は、一またはそれ以上の非弾性片からできたストラップであり、互いに取り付けて部分８０３を通る連続ループを形成し、このループは、ハンドグリップに４２３に一体的に取り付けられている。したがって、たとえば、ハンドグリップ４２３ａは、内側円柱状筒状部８０３の第１の端部８０３−１と第２の端部８０３−２に対応する第１の端部４２３ａ−１と４２３ａ−２を有している。一実施例では、ループ２７１０が端部を互いに縫い付けた一またはそれ以上の紐片でできており、部分８０３を通るシングルループを形成し、結果として、ハンドグリップの下にループの一部がつり下がっている。
【手続補正１２】
【補正対象書類名】明細書
【補正対象項目名】００８５
【補正方法】変更
【補正の内容】
【００８５】
さらに別の実施例では、ループ２７１０または２８１０は部分８０３を通るループを形成しておらず、端部８０３−１、８０３−２に、あるいはその近傍に取り付けられている。